(57)【要約】【課題】  低解像度のディスプレイと接続される画像表示装置であっても、受信したコンテンツが持つ本来の解像度で表示させることができ、比較的安価な画像表示装置であっても、高解像度の画像が鑑賞できる画像表示装置を提供する。【解決手段】  画像データが記憶されるフレームバッファメモリ（１５）と、このフレームバッファメモリ（１５）に記憶された画像データを読出し、所望の解像度に変換して表示データを生成する解像度変換部（１６）とを具備した画像表示装置（１ａ、１ｂ）において、フレームバッファメモリ（１５）に記憶された画像データから、所望の指定領域を切り出して拡大表示データを生成するための領域切り出し部（１７）と、前記解像度変換部（１６）で生成された表示データ、又は領域切り出し部（１７）で生成された拡大表示データのいずれかを選択して表示出力するための切替部（１８）とを有する。【選択図】      図１
2005341345.tif 000002
【特許請求の範囲】
【請求項１】
画像データが記憶されるフレームバッファメモリと、このフレームバッファメモリに記憶された画像データを読出し、所望の解像度に変換して表示データを生成する解像度変換部とを具備した画像表示装置において、
前記フレームバッファメモリに記憶された前記画像データから、所望の指定領域を切り出して拡大表示データを生成するための領域切り出し部と、
前記解像度変換部で生成された前記表示データ、又は前記領域切り出し部で生成された前記拡大表示データのいずれかを選択して表示出力するための切替部と、
を有する構成としたことを特徴とする画像表示装置。
【発明の詳細な説明】
【技術分野】
【０００１】
本発明は、ディジタル放送受信機を備える画像表示装置に関する。
【背景技術】
【０００２】
近年ディジタル放送が開始されたことに伴い、ディジタル放送受信機を備えるテレビ機器などの画像表示装置は高解像度の表示に対応する必要が生じている。このような状況の中で、ディジタル放送信号としてＨＤＴＶの画像を受信する画像表示装置は、高能率符合化圧縮されて送信された高品位テレビ（ＨＤＴＶ（High Definition Television））や標準品位テレビ（ＳＤＴＶ（Standard Definition Television））の映像を受信して、その中からユーザに指定されたチャンネルの映像をディスプレイ装置に表示する。
【０００３】
しかしながら、ＨＤＴＶの画像を表示する画像表示装置は、ＳＤＴＶを表示する画像表示装置と比較して未だ高価である。そのため、ＨＤＴＶの映像を表示できる画像表示装置の中には、ＳＤＴＶの画像を表示するディスプレイを備える画像表示装置の処理過程で解像度変換を行ない、解像度変換されたＳＤＴＶの画像を表示する安価なものが使用されていることも多い。
【０００４】
ＳＤＴＶの画像を表示するディスプレイを備える画像表示装置では、ＨＤＴＶの画像を受信した場合、受信したデータを単に復号化したＨＤＴＶの画像データでは、ディスプレイに表示できない。そのため、受信したＨＤＴＶの画像をＳＤＴＶの映像に変換して表示する方法が一般的である（例えば特許文献１）。
【０００５】
例えば、図７に示すように、従来の画像表示装置１００において、アンテナ１０１を介して入力されたコンテンツに含まれるＨＤＴＶの映像データは、映像デコーダ１０４で復号される。復号された映像データは、フレームバッファメモリ１０５に順次記憶され、フレームバッファメモリ１０５で１フレーム分の映像データが蓄積されると、これを画像データとして解像度変換部１０６で画像表示部１０８に接続されるディスプレイ装置で表示が可能な解像度に合わせて変換されるとともに、無画像領域を付加して表示データが生成される。すなわち、ＨＤＴＶの画像からＳＤＴＶの画像に変換され、その後、無画像領域を付加して縦横比９：１６の画像を縦横比３：４の画像に変換された表示データは、画像表示部１０８で表示される。
【０００６】
ここで、ディスプレイ装置に表示された画像の一部の領域を拡大して表示する機能を有する画像表示装置もある。このような機能を有する画像表示装置１００では、画像を表示する際に、拡大して表示する指示がされて画像の一部の領域が選択された場合、領域切り出し部１０７で解像度変換された表示データにおいて、拡大する領域を切り出して拡大表示データが生成され、生成された拡大表示データが画像表示部１０８で表示される。
【０００７】
画像を切り出す技術として、画像メモリに蓄積した原画像信号のフレームの中から、符合化する画像信号のフォーマットに一致する範囲を切り出す技術がある（例えば特許文献２）。また、解像度を変換する技術として、走査線変換をする技術がある（例えば特許文献３）。さらに、中間画像を利用する技術として、原画像を符合化する際に生じる中間画像を保存し、画像処理の効率を改善する画像処理方法がある（例えば特許文献４）。
【特許文献１】特開平７−１０７４６４号公報
【特許文献２】特開平１１−１２２６１１号公報
【特許文献３】特開平８−９８１０５号公報
【特許文献４】特開２００２−２４７５８０号公報
【発明の開示】
【発明が解決しようとする課題】
【０００８】
このように、従来の解像度変換した画像である表示データから拡大表示データを生成する場合、選択された領域の表示データよりも、切り出される領域の拡大表示データの方が大きくなる。その為、拡大表示データを生成する方法として、同じ画素の画像データを複数の画素にわたって同じ濃度値を複写して拡大表示データを生成する方法がある。更に、このように複数の画素にわたって表示する場合に画像の濃度値の変化を滑らかにする補正処理を施して拡大表示データを生成する方法もある。
【０００９】
図８を用いて、図７に示す画像表示装置１００に入力される画像データＤ２１に基づいて出力される表示データＤ２２と拡大表示データＤ２６について説明する。例えば、図７に示す画像表示装置１００に、１９２０画素×１０８０ラインの画像データＤ２１がコンテンツに含まれて入力されると、解像度変換部１０６で画像データＤ２１の解像度が変換された表示データＤ２２が生成される。生成される表示データＤ２２は、図８（ａ）で示す７２０画素×４８０ラインの画像である。
【００１０】
ここで、画像表示部１０８で表示された画像の一部の指定領域Ｄ２５が選択されて拡大して表示することが操作された場合、図８（ｂ）で示す解像度が変換された７２０画素×３６０ラインの表示データＤ２２から、選択された領域の表示データＤ２２が領域切り出し部１０７で切り出される。選択された領域の表示データＤ２２が切り出されると、この領域の表示データＤ２２について拡大表示データＤ２６が生成されて画像表示部１０８に表示される。
【００１１】
例えば、選択された領域が図８（ｂ）に示すように、表示データＤ２２が３６０画素×２４０ラインである場合、この３６０画素×２４０ラインの画像を利用して画像表示部１０８に接続されるディスプレイ装置で表示できる画像サイズである７２０画素×４８０ラインの拡大表示データＤ２６を生成する。生成された拡大表示データＤ２６を図８（ｃ）に示すが、元の画像よりも高解像度の画像を生成するため、領域切り出し部１０７で生成される拡大表示データＤ２６は間延びした、粗い画像となる欠点がある。
【００１２】
また、ＨＤＴＶの画像データに限らず、画像表示部と接続されるディスプレイで表示可能な画像サイズよりも大きな画像データが画像表示装置に入力された場合について図９に示すが、図８の例と同様の問題が生じる。例えば、１９２０画素×１０８０ラインの画像を表示することが可能な画像表示装置に、図９（ａ）で示されるような３８４０画素×２１６０ラインの画像データＤ３１が入力された場合、入力された画像データＤ３１が解像度変換されて、図９（ｂ）に示すような表示データＤ３２が生成される。また、拡大する際には、この表示データＤ３２から切り出された指定領域Ｄ３３の部分の表示データＤ３２から、図９（ｃ）に示すように拡大表示データＤ３４が生成される。
【００１３】
したがって、このように拡大する場合、ＨＤＴＶの映像データは本来持つ解像度よりも粗い解像度でディスプレイに表示され、その映像データが本来持つ解像度で見ることができない。
【００１４】
上記課題に鑑み、本発明では、受信した高解像度のコンテンツの映像を、本来の解像度で見ることができない問題を解決し、低い解像度の画像表示装置であっても、本来の解像度で表示することのできる画像表示装置を提供することを目的とする。
【課題を解決するための手段】
【００１５】
上述した課題を解決するため本発明に係る画像表示装置は、画像データが記憶されるフレームバッファメモリ（１５）と、このフレームバッファメモリ（１５）に記憶された画像データを読出し、所望の解像度に変換して表示データを生成する解像度変換部（１６）とを具備した画像表示装置（１ａ、１ｂ）において、前記フレームバッファメモリ（１５）に記憶された前記画像データから、所望の指定領域を切り出して拡大表示データを生成するための領域切り出し部（１７）と、前記解像度変換部（１６）で生成された前記表示データ、又は前記領域切り出し部（１７）で生成された前記拡大表示データのいずれかを選択して表示出力するための切替部（１８）とを有する構成としたことを特徴としている。
【００１６】
上述した本発明によれば、解像度を変換した画像について拡大して表示する操作がされた場合、解像度が変換された画像を利用して拡大表示データを生成するのではなく、解像度が変換される前の高解像度の画像データを用いて拡大表示データを生成するため、画質を劣化させることなく高解像度の画像データで拡大表示データを生成することができる。
【発明の効果】
【００１７】
本発明の画像表示装置の部分表示機能によって、低解像度のディスプレイと接続される画像表示装置であっても、受信したコンテンツが持つ本来の解像度で表示させることができる。また、これにより比較的安価な画像表示装置であっても、高解像度の画像を鑑賞することが可能になる。
【発明を実施するための最良の形態】
【００１８】
［実施例１］
＜画像表示装置＞
以下に、本発明に係る画像表示装置の好ましい実施例１について説明する。実施例１の画像表示装置１ａは、ＳＤＴＶの画像を表示するディスプレイ装置と接続されるものである。
【００１９】
図１に示すように、本発明の実施例１に係る画像表示装置１ａでは、アンテナ１１ａ、復調処理部１２ａ、多重分離処理部１３、映像デコーダ１４、フレームバッファメモリ１５、解像度変換部１６、領域切り出し部１７、切替部１８、ＳＤＴＶ画像表示部１９ａ、付加データ処理部２０、音声デコーダ２１、増幅処理部２２、スピーカ２３、リモコン受信部２４、操作パネル２５及び制御部２６を有している。
【００２０】
アンテナ１１ａは、図示しない放送局から送信されるコンテンツを受信する。
【００２１】
復調処理部１２ａは、アンテナ１１ａを介して入力された送信用に変調されたコンテンツを受信して復調する。
【００２２】
多重分離処理部１３は、復調されたコンテンツを分離して、映像データ、音声データ及び付加データの各種データを生成する。ここで、映像データ及び音声データは、圧縮符合化されているストリーム形式のデータである。また、付加データはデータ放送用のデータや番組関連情報のデータ等である。
【００２３】
映像デコーダ１４は、多重分離処理部１３で生成された圧縮符合化されている映像データを復号する。
【００２４】
フレームバッファメモリ１５は、映像デコーダ１４で復号化された映像データがフレームごとに映像デコーダ１４から順次抽出されて蓄積される記憶装置である。具体的には、１フレーム分の映像データが、画像データＤ０１としてフレームバッファメモリ１５に記憶される。
【００２５】
解像度変換部１６は、フレームバッファメモリ１５で記憶されている画像データＤ０１をＳＤＴＶ画像表示部１９ａと接続されるディスプレイ装置で表示可能な解像度に変換する。変換の方法としては、例えば画素を間引くなどの操作により変換する。
【００２６】
領域切り出し部１７は、ユーザなどの外部から拡大する領域が表示されている画像から選択された場合、フレームバッファメモリ１５で記憶されている画像データＤ０１から該当する部分を切り出す。さらに、外部からの指示に基づいて表示する画像サイズに変換した拡大表示データＤ０７を生成する。
【００２７】
切替部１８は、外部からの入力により、解像度変換部１６で生成された表示データＤ０３または領域切り出し部１７で生成された拡大表示データＤ０７のうち、表示するデータを切り替えて出力する。
【００２８】
付加データ処理部２０は、画像データに付随する番組表や番組情報等を復号し、ディスプレイ装置に表示可能に処理された付加データを生成する。
【００２９】
ＳＤＴＶ画像表示部１９ａは、切替部１８により出力される表示データＤ０３又は拡大表示データＤ０７と、付加データ処理部２０から出力される付加データをディスプレイ装置に表示させる。
【００３０】
音声デコーダ２１は、多重分離処理部１３で分離された音声データをスピーカ２３で出力可能に復号する。
【００３１】
増幅処理部２２は、復号された音声データを出力可能に増幅する。スピーカ２３は、増幅された音声データを出力する。
【００３２】
リモコン受信部２４は、外部の図示しないリモコンから操作信号が送信されると、この操作信号を入力する。操作パネル２５は、画像表示装置の一部に設けられ、ユーザが操作信号を入力する。リモコン受信部２４及び操作パネル２５で入力される操作信号は、チャンネル変更や音量変更などの操作信号の他に、本発明の実施例１に係る画像表示装置１ａで必要な拡大する指定領域や拡大率の選択や実行させる操作信号等がある。
【００３３】
制御部２６は、復調処理部１２ａ、多重分離処理部１３、映像デコーダ１４、解像度変換部１６、領域切り出し部１７、切替部１８、ＳＤＴＶ画像表示部１９ａ、付加データ処理部２０、音声デコーダ２１、増幅処理部２２、スピーカ２３をリモコン受信部２４及び操作パネル２５を介して入力された操作信号に基づいて制御する。
【００３４】
ここで、制御部２６はＣＰＵインターフェース２６ａ、ＣＰＵ２６ｂ、ＲＡＭ２６ｃ及びＲＯＭ２６ｄを備える。
【００３５】
次に、図２乃至図４を用いて本発明の画像表示装置において画像表示が行われる際の動作を説明する。図２は、入力されたコンテンツから表示データが生成されて表示される際の処理の流れを説明するフローチャートである。図３は、映像の表示の際に切り出し処理の流れを説明するフローチャートである。図４は本発明の画像表示装置において処理がされる各段階の画像の一例である。なお、ここでは音声データや他の付加データについての処理に関する具体的な説明は省略する。
【００３６】
＜画像表示の処理＞
アンテナ１１ａを介して復調処理部１２ａにコンテンツが入力されたことが確認されると（Ｓ００１）、制御部２６からの制御により復調処理部１２ａでは、コンテンツが復調される（Ｓ００２）。復調されたコンテンツは画像情報、音声情報またこれらに付随する付加情報により構成されているため、制御部２６からの制御により多重分離処理部１３において各メディアデータが分離されて、映像データ、音声データ及び付加データが生成される（Ｓ００３）。
【００３７】
多重分離処理部１３で生成された映像データは、映像デコーダ１４に入力されて制御部２６からの制御により復号化される（Ｓ００４）。復号化された映像データは、順次フレームバッファメモリ１５に書込まれる（Ｓ００５）。フレームバッファメモリ１５に書込まれる１フレーム分の画像データＤ０１の一例を、図４（ａ）に示す。
【００３８】
フレームバッファメモリ１５に１フレーム分の画像データＤ０１が書込まれると、画像データＤ０１は解像度変換部１６に入力されて、制御部２６の制御により解像度変換されて表示データＤ０３が生成される（Ｓ００６）。具体的には、解像度変換部１６は、入力された画像データＤ０１を間引き処理等を行なうことでＳＤＴＶ画像表示部１９ａに接続されるディスプレイ装置により表示画可能な解像度にまで減少させて解像度を変換して有効画像データＤ０４を生成するとともに、無画像領域Ｄ０５を付加することによって、入力された画像データＤ０１の解像度から、ＳＤＴＶ画像表示部１９ａに接続されるディスプレイ装置に表示可能な表示データＤ０３を生成する。
【００３９】
図４（ａ）に示す例のように、画像表示装置１ａに入力された高解像度の画像データＤ０１は１９２０画素×１０８０ラインの画像である場合、実施例１に係るＳＤＴＶの解像度を画像表示装置１ａでは、そのまま表示することができない。そのため、入力された画像データＤ０１を表示するディスプレイ装置の画像サイズに合わせるために解像度が変換される。
【００４０】
ここで、入力された画像は縦横比が１６：９の画像であるとする。これに対して、出力するＳＤＴＶ画像表示部１９ａと接続されるディスプレイ装置は縦横比が４：３であるとする。このとき、入力された画像を表示するディスプレイ装置に合わせるために、解像度を変換して有効画像データＤ０４を生成するとともに、図４（ｂ）に示すように画像の上下に無画像領域Ｄ０５を付加して縦横比４：３の画像を表示データＤ０３として生成する。
【００４１】
解像度変換部１６で生成された表示データＤ０３は、ＳＤＴＶ画像表示部１９ａに入力されてディスプレイ装置に表示される（Ｓ００７）。
【００４２】
その後、制御部２６では、拡大表示の操作があったか否かが確認される（Ｓ００８）。ここで、操作がない場合に、表示の終了が指示されると（Ｓ００９）、操作を終了させ、表示終了の操作がされなかった場合には、ステップＳ００２〜Ｓ００８の処理が繰り返される。一方、ステップＳ００８において、制御部２６において、拡大表示の操作がされたことが確認されると、切り出し処理が開始される。
【００４３】
＜切り出し処理＞
以下に、表示データＤ０３上で選択された指定領域Ｄ０６に相当するデータを画像データＤ０１から切り出して、一部の領域の拡大表示データＤ０７を生成する切り出し処理について、図３を参照して説明する。
【００４４】
図２のステップＳ００８において、拡大表示の操作があったことが確認された場合、ユーザによって切り出す指定領域Ｄ０６の選択がされる（Ｓ１０１）。具体的には、領域の拡大は、ユーザがリモコン受信部２４あるいは操作パネル２５から外部インターフェースを介してある領域を拡大指示することで行われる。実施例１では、ユーザに指示された指定領域Ｄ０６を左上の２７０画素×１６０ラインの部分とする。
【００４５】
ここで、選択された部分は、縦横比４：３のＳＤＴＶ画面であるディスプレイ装置に表示したときに画面全面に表示されるような比率になるように、７２０画素×３６０ラインのうち左上から３６０画素×２４０ラインの領域を指定領域Ｄ０６とする。この領域をそのまま拡大すると３６０画素×２４０ラインの領域を間延びさせた形になり、粗い映像となってしまう。
【００４６】
そこで、ユーザが拡大する指定領域Ｄ０６を決定したことが制御部２６に判断されると、領域切り出し部１７によってフレームバッファメモリ１５に記憶されている画像データＤ０１から選択された指定領域Ｓ０６に相当する領域として切り出し領域Ｄ０２として左上７２０画素×４８０ラインの領域を読み出す（Ｓ１０３）。読み出された指定領域Ｄ０６に相当する画像データＤ０１内の切り出し領域Ｄ０２はＳＤＴＶ画像表示部１９ａに拡大表示データＤ０７として表示する（Ｓ１０４）。
【００４７】
具体的には、制御部２６においてＣＰＵ２６ｂが、領域切り出しの指示内容に従って、フレームバッファメモリ１５から拡大を指示された指定領域Ｄ０６に相当するアドレスを算出して画像データＤ０１から算出されたアドレスのデータを切り出し領域Ｄ０２として読み出すとともに、切替部１８を領域切り出し部１７からの入力を選択するように切り替える。これにより、切り出した切り出し領域Ｄ０２の画像データＤ０１を拡大表示データＤ０７として、解像度変換部１６を経由せずに、ＳＤＴＶ画像表示部１９ａに転送する。
【００４８】
その後、ユーザからの操作の待機状態となり、操作を受けると上述した図２のステップＳ００１〜Ｓ００８の処理が繰り返される。
【００４９】
従来は、図７で説明したように、解像度変換部１０６で画像データＤ２１の解像度を下げて生成された表示データＤ２２から、選択された領域が領域切り出し部１０７によって切り出されて、この切り出された表示データＤ２２の一部の領域を拡大することにより拡大表示データＤ２６を生成していた。このような従来の方法では、切り出された解像度の低い表示データＤ２２の一部からその表示データＤ２２の一部の画像サイズよりも大きな画像サイズの拡大表示データＤ２６を生成するために、生成される拡大表示データＤ２６の画質が劣化してしまう問題が生じていた。
【００５０】
これに対して、本発明の実施例１に係る画像表示装置１ａでは、上述したように、ユーザは画面に表示された低解像度の画像である表示データＤ０３上で拡大する任意の指定領域Ｄ０６を選択する。更に、画像表示装置１ａは、画面上で選択された指定領域Ｄ０６に対応する切り出し領域Ｄ０２を算出し、フレームバッファメモリ１５で記憶されている高解像度の画像データＤ０１から切り出し領域Ｄ０２を切り出す。このように、本発明の画像表示装置１ａによれば、高解像度の画像データＤ０１から切り出された切り出し領域Ｄ０２が拡大表示データＤ０７が生成されてディスプレイ装置に表示される。高解像度の画像データＤ０１から切り出し領域Ｄ０２を切り出してこれを拡大表示データＤ０７として表示することにより、従来の画像表示装置１００よりも高い解像度で拡大して表示することができる。
【００５１】
具体的には、本発明の実施例１に係る画像表示装置１ａは、ＳＤＴＶ画面に表示されている映像である表示データＤ０３から拡大画像である拡大表示データＤ０７を生成するのではなく、フレームバッファメモリ１５に記憶されるＨＤＴＶの画像データＤ０１に基づいて拡大画像である拡大表示データＤ０７を生成して、ＳＤＴＶ画面上に表示することにより、ユーザは拡大した場合には解像度変換で画質を落とすことなく映像を鑑賞することができる。
【００５２】
［実施例２］
以下に本発明の実施例２に係る画像表示装置１ｂについて図５を用いて説明する。図５において、図１に示す画像表示装置１ａと同様の構成については同じ符号をつけ、説明を省略する。図５に示すように、本発明の実施例２に係る画像表示装置１ｂは、図１に示した本発明の実施例１に係る画像表示装置１ａに比べて、ＳＤＴＶ画像表示部１９ａを備えず、画像表示部１９ｂを備えている点が異なる。
【００５３】
具体的には、実施例１の画像表示装置１ａはＳＤＴＶの画像を表示するＳＤＴＶ画像表示部１９ａを有し、ＨＤＴＶの画像を入力するとこの画像を解像度変換して表示するものであった。一方、実施例２に係る画像表示部１９ｂは、ＳＤＴＶの画像を表示するものに限られない。このように、本発明の実施例２に係る画像表示装置１ｂは、受信した映像を拡大する際には画質を劣化させることなく、解像度変換していない画像データＤ１１から切り出して拡大表示データＤ１５が生成されることで、画質を保って画像を表示することが可能である。
【００５４】
例えば、画像表示部１９ｂで表示が可能な画像サイズが１９２０画素×１０８０ラインの画像表示装置１ｂに、３８４０画素×２１６０ラインの画像データＤ１１が入力された例を図６を用いて説明する。入力端子１１ｂを介して入力バッファメモリ１２ｂに入力され、フレームバッファメモリ１５に蓄積された画像データＤ１１の例が図６（ａ）に示すものである。
【００５５】
解像度変換部１６によって、この画像データＤ１１が画像表示部１９ｂで表示画可能な解像度である１９２０画素×１０８０ラインの画像サイズに変換され、図６（ｂ）で示すような表示データＤ１３が生成されて表示される。
【００５６】
また、図６（ｂ）で示すように、画像表示部１９ｂと接続されるディスプレイ装置で表示された画像の一部の指定領域Ｄ１４が選択されて、ユーザにより指定領域の拡大表示の指示がされると、この部分が領域切り出し部１７によって切り出して拡大表示データＤ１５が生成される。領域切り出し部１７の処理は実施例１の場合と同様に行われるので詳述しないが、解像度変換された表示データＤ１３から切り出して生成されるのではなく、図６（ａ）で示すフレームバッファメモリ１５で記憶されている画像データを用いて切り出し処理がされる。この切り出し処理により生成された拡大表示データＤ１５が画像表示部１９ｂと接続されるディスプレイ装置に表示されることにより、従来と比較して高画質の画像が拡大表示データＤ０７として表示される。
【００５７】
［変形例］
画面に表示されている映像から、入力された画像データの解像度をできるだけ変換せずにＳＤＴＶ画像表示部１９ａ又は画像表示部１９ｂに表示するために、拡大する部分の領域を入力された画像データＤ０１，１１の中から表示画像サイズで切り出されるように予め設定しておくことも可能である。
【００５８】
ここで、横方向と縦方向のパラメータについて、例えば以下のように設定する。
【００５９】
Ｈ1：有効画素数
Ｈ2：横方向解像度
Ｈ3：横方向画素数
Ｌ1：有効ライン数
Ｌ2：縦方向解像度
Ｌ3：ライン数
上述の各パラメータについて本発明の実施例１に係るＳＤＴＶ画像表示部１９ａを用いて以下に具体的に説明する。
【００６０】
有効画素数Ｈ1は、現在ＳＤＴＶ画像表示部１９ａと接続されるディスプレイ装置で表示される表示データＤ０３を構成する有効画像データＤ０４上の１ライン当たりの画素数である。図４（ｂ）に示すように、画像表示装置１ａの場合には、有効画素数Ｈ1＝７２０となる。ここで、１ラインとは、画像が表示されるディスプレイでいう１走査線に相当する。
【００６１】
また、横方向解像度Ｈ2は、ＳＤＴＶ画像表示部１９ａと接続されるディスプレイ装置で表示される表示データＤ０３の横方向の画素数であり、図４（ｂ）に示すようにＨ2＝７２０である。
【００６２】
なお、実施例１の場合には、有効画像データＤ０４は横方向の画素数に合わせて生成されており、この有効画像データＤ０４の上下には無画像領域Ｄ０５が付加されているが、横側には無画像領域Ｄ０５は付加されておらず、有効画素数Ｈ1と横方向解像度Ｈ2とは同じ値となる。
【００６３】
横方向画素数Ｈ3は、フレームバッファメモリ１５に記憶される１フレーム分の画像データＤ０１の横方向の画素数である。すなわち、アンテナ１１ａを介して入力されたコンテンツに含まれる１フレーム分の映像データの横方向の画素数であり、実施例１の場合には、図４（ａ）で示すように、横方向画素数Ｈ3＝１９２０である。
【００６４】
また、有効ライン数Ｌ1は、現在ＳＤＴＶ画像表示部１９ａと接続されるディスプレイ装置に表示される有効画像データＤ０４として有効なライン数であって、実施例１では、図４（ｂ）に示すように、有効ライン数Ｌ1＝３６０である。
【００６５】
さらに、縦方向解像度Ｌ2は、ＳＤＴＶ画像表示部１９ａと接続されるディスプレイ装置に表示される表示データＤ０３の縦方向の解像度であり、図４（ｂ）に示すように、縦方向解像度Ｌ2＝４８０である。
【００６６】
ライン数Ｌ3は、フレームバッファメモリ１５に記憶される１フレーム分の画像データＤ０１の縦方向のライン数である。すなわち、アンテナ１１ａを介して入力されたコンテンツに含まれる１フレーム分の映像データのライン数であり、図４（ａ）に示すように、ライン数Ｌ3＝１０８０である。
【００６７】
この場合、切り出す画像サイズを
Ｍ：部分領域の横幅
Ｎ：部分領域の縦幅
とすると、部分領域の横幅Ｍ及び部分領域の縦幅Ｎはそれぞれ
Ｍ＝Ｈ1×Ｈ2／Ｈ3  ・・・（式１）
Ｎ＝Ｌ1×Ｌ2／Ｌ3  ・・・（式２）
として表される。
【００６８】
このときの画像サイズは、以下に示すようになる。  
例えば、実施例１の例では、ＳＤＴＶ画像表示部１９ａに表示する７２０画素×４８０ラインの領域の映像を入力されたコンテンツに含まれる図４（ａ）で示す画像データＤ０１から切り出すため、現在表示されている図４（ｂ）に示す７２０画素×４８０ラインの映像から、拡大する領域として選択する最適な画像サイズを式１及び式２を用いて算出する。
【００６９】
ここで、実施例１の各パラメータの値を式１及び式２に代入すると、画像サイズの横幅及び縦幅は以下のように求められる。  
Ｍ＝７２０×７２０／１９２０＝２７０（画素）  ・・・（式３）
Ｎ＝３６０×４８０／１０８０＝１６０（ライン）  ・・・（式４）
したがって、本発明の実施例１に係る画像表示装置１ａによると、ユーザから見た表示画面上の切り出しの領域のサイズは９６０画素×５４０ラインとなり、その領域の画像サイズを維持しながら所望の位置を拡大する部分として選ぶようにすると、拡大表示データＤ０７を生成する際に解像度変換を要さずに最適な拡大表示データＤ０７を生成することができる。
【００７０】
また、実施例２の例でも同様に、３８４０画素×２１６０ラインの画像データＤ１１から、１９２０画素×１０８０ラインの領域の切り出し領域Ｄ１２の画像データを切り出すため、式１及び式２に各値を代入して算出すると、切り出す指定領域Ｄ１４の画像サイズの横幅及び縦幅の最適な値は以下のように求められる。  
Ｍ＝１９２０×１９２０／３８４０＝９６０（画素）  ・・・（式５）
Ｎ＝１０８０×１０８０／２１６０＝５４０（ライン）  ・・・（式６）
したがって、実施例２に係る画像表示装置１ｂによると、ユーザから見た表示画面上の切り出す指定領域Ｄ１４の画像サイズは９６０画素×５４０ラインとなり、その画像サイズを維持しながら所望の位置を拡大する部分として選ぶようにすると最適な拡大表示データＤ１５を生成することができる。
【００７１】
なお、上述した各実施例では、動画像である映像データについて説明しているが、動画像に限られず、静止画像でも同様に実施することは明らかである。
【図面の簡単な説明】
【００７２】
【図１】本発明の画像表示装置を簡単に説明するブロック図である。
【図２】本発明の画像表示装置における解像度変換の処理について簡単に説明するフローチャートである。
【図３】本発明の画像表示装置における切り出し処理について簡単に説明するフローチャートである。
【図４】本発明の画像表示装置において処理される画像を説明する図である。
【図５】本発明の変形例に係る画像表示装置を簡単に説明するブロック図である。
【図６】本発明の変形例に係る画像表示装置において処理される画像を説明する図である。
【図７】従来の画像表示装置を簡単に説明するブロック図である。
【図８】従来の画像表示装置において処理される画像を説明する図である。
【図９】従来の画像表示装置において処理される画像を説明する図である。
【符号の説明】
【００７３】
１ａ，１ｂ…画像表示装置
１１ａ…アンテナ
１１ｂ…入力端子
１２ａ…復調処理部
１２ｂ…入力バッファメモリ
１３…多重分離処理部
１４…映像デコーダ
１５…フレームバッファメモリ
１６…解像度変換部
１８…切替部
１９ａ…ＳＤＴＶ画像表示部
１９ｂ…画像表示部
２０…付加データ処理部
２１…音声デコーダ
２２…増幅処理部
２３…スピーカ
２４…リモコン受信部
２５…操作パネル
２６…制御部
２６ａ…ＣＰＵインターフェース
２６ｂ…ＣＰＵ
２６ｃ…ＲＡＭ
２６ｄ…ＲＯＭ
１００…画像表示装置
１０１…アンテナ
１０４…映像デコーダ
１０５…フレームバッファメモリ
１０６…解像度変換部
１０７…領域切り出し部
１０８…画像表示部
Ｄ０１，Ｄ１１，Ｄ２１，Ｄ３１…画像データ
Ｄ０２，Ｄ１２…切り出し領域
Ｄ０３，Ｄ１３，Ｄ２２，Ｄ３２…表示データ
Ｄ０４…有効画像データ
Ｄ０５…無画像領域
Ｄ０６，Ｄ１４，Ｄ２５，Ｄ３３…指定領域
Ｄ０７，Ｄ１５，Ｄ２６，Ｄ３４…拡大表示データ
【図１】
2005341345.tif 000003
【図２】
2005341345.tif 000004
【図３】
2005341345.tif 000005
【図４】
2005341345.tif 000006
【図５】
2005341345.tif 000007
【図６】
2005341345.tif 000008
【図７】
2005341345.tif 000009
【図８】
2005341345.tif 000010
【図９】
2005341345.tif 000011